(57)【要約】【課題】分割駆動される面状光源装置を構成する面状光源ユニットの外縁部における部分的な色ムラ（色ズレ）が生じ難い構成、構造を有する面状光源装置を提供する。【解決手段】透過型の液晶表示装置を背面から照明する面状光源装置は、Ｐ×Ｑ個の、光源が個別に制御される面状光源ユニットから成り、光源は複数の発光素子ユニットから構成されており、各発光素子ユニットは、少なくとも１つの赤色を発光する赤色発光素子、少なくとも１つの緑色を発光する緑色発光素子、及び、少なくとも１つの青色を発光する青色発光素子から構成されており、各面状光源ユニットにおける複数の赤色発光素子、複数の緑色発光素子、複数の青色発光素子のそれぞれに基づく輝度プロファイルの重心は、該面状光源ユニットの重心と略一致している。【選択図】  図１
2008003220.tif 000002
【特許請求の範囲】
【請求項１】
２次元マトリクス状に配列された画素から構成された表示領域を有する透過型の液晶表示装置を背面から照明する面状光源装置であって、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
面状光源ユニットに備えられた光源は、個別に制御され、
各面状光源ユニットに備えられた光源は、複数の発光素子ユニットから構成されており、
各発光素子ユニットは、少なくとも１つの赤色を発光する赤色発光素子、少なくとも１つの緑色を発光する緑色発光素子、及び、少なくとも１つの青色を発光する青色発光素子から構成されており、
各面状光源ユニットにおける複数の赤色発光素子に基づく輝度プロファイルの重心は、該面状光源ユニットの重心と略一致し、
各面状光源ユニットにおける複数の緑色発光素子に基づく輝度プロファイルの重心は、該面状光源ユニットの重心と略一致し、
各面状光源ユニットにおける複数の青色発光素子に基づく輝度プロファイルの重心は、該面状光源ユニットの重心と略一致することを特徴とする面状光源装置。
【請求項２】
２次元マトリクス状に配列された画素から構成された表示領域を有する透過型の液晶表示装置を背面から照明する面状光源装置であって、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
面状光源ユニットに備えられた光源は、個別に制御され、
各面状光源ユニットに備えられた光源は、複数の発光素子ユニットから構成されており、
各発光素子ユニットは、少なくとも１つの赤色を発光する赤色発光素子、少なくとも１つの緑色を発光する緑色発光素子、及び、少なくとも１つの青色を発光する青色発光素子から構成されており、
各面状光源ユニットにおける複数の赤色発光素子の位置の重心は、該面状光源ユニットの重心と略一致し、
各面状光源ユニットにおける複数の緑色発光素子の位置の重心は、該面状光源ユニットの重心と略一致し、
各面状光源ユニットにおける複数の青色発光素子の位置の重心は、該面状光源ユニットの重心と略一致することを特徴とする面状光源装置。
【請求項３】
２次元マトリクス状に配列された画素から構成された表示領域を有する透過型の液晶表示装置を背面から照明する面状光源装置であって、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
面状光源ユニットに備えられた光源は、個別に制御され、
各面状光源ユニットに備えられた光源は、複数の発光素子ユニットから構成されており、
各発光素子ユニットは、少なくとも１つの赤色を発光する赤色発光素子、少なくとも１つの緑色を発光する緑色発光素子、及び、少なくとも１つの青色を発光する青色発光素子から構成されており、
面状光源ユニットの平面形状は矩形であり、
各面状光源ユニットにおいて、面状光源ユニットの辺に沿って、少なくとも１つの赤色発光素子、少なくとも１つの緑色発光素子、及び、少なくとも１つの青色発光素子が配置されており、且つ、面状光源ユニットの四辺における赤色発光素子、緑色発光素子及び青色発光素子の並び順は同じであることを特徴とする面状光源装置。
【請求項４】
１つの面状光源ユニットは、４つの発光素子ユニットから構成されていることを特徴とする請求項１乃至請求項３のいずれか１項に記載の面状光源装置。
【請求項５】
１つの面状光源ユニットにおいて、４つの発光素子ユニットを構成するそれぞれの赤色発光素子は４回回転対称に配置されており、４つの発光素子ユニットを構成するそれぞれの緑色発光素子は４回回転対称に配置されており、４つの発光素子ユニットを構成するそれぞれの青色発光素子は４回回転対称に配置されていることを特徴とする請求項４に記載の面状光源装置。
【請求項６】
各発光素子ユニットは、１つの赤色発光素子、２つの緑色発光素子、及び、１つの青色発光素子から構成されており、
該４つの発光素子は、仮想の矩形の四隅に配置されており、
面状光源ユニットの平面形状を矩形とし、面状光源ユニットの重心を原点とした座標系を想定したとき、仮想の矩形の四隅の内の最も原点に近い隅、及び、仮想の矩形の四隅の内の最も原点に遠い隅に、緑色発光素子が配置されており、残りの二隅のそれぞれに、赤色発光素子及び青色発光素子が配置されていることを特徴とする請求項５に記載の面状光源装置。
【請求項７】
各発光素子ユニットは、１つの赤色発光素子、１つの緑色発光素子、及び、１つの青色発光素子から構成されており、
該３つの発光素子のそれぞれは、仮想の「Ｌ」の字の縦棒の先端部分、横棒の先端部分、及び、縦棒と横棒の交わる部分に配置されていることを特徴とする請求項５に記載の面状光源装置。
【発明の詳細な説明】
【技術分野】
【０００１】
本発明は、面状光源装置に関する。
【背景技術】
【０００２】
液晶表示装置にあっては、液晶材料それ自体は発光しない。従って、例えば、液晶表示装置の表示領域を照射する直下型の面状光源装置（バックライト）を、複数の画素から構成された表示領域の背面に配置する。尚、カラー液晶表示装置において、１画素は、例えば、赤色発光副画素、緑色発光副画素及び青色発光副画素の３つの副画素から構成されている。そして、各画素あるいは各副画素を構成する液晶セルを、一種の光シャッター（ライト・バルブ）として動作させることによって、即ち、各画素あるいは各副画素の光透過率（開口率）を制御し、面状光源装置から出射された照明光（例えば、白色光）の光透過率を制御することで、画像を表示している。
【０００３】
従来、液晶表示装置組立体における面状光源装置は、表示領域全体を、均一、且つ、一定の明るさで照明しているが、このような面状光源装置とは別の構成、即ち、複数の面状光源ユニットから構成され、複数の表示領域ユニットにおける照度の分布を変化させる構成を有する面状光源装置が、例えば、特開２００５−２５８４０３から周知である。
【０００４】
このような面状光源装置は、以下に説明する方法に基づき制御される。即ち、面状光源装置を構成するそれぞれの面状光源ユニットの最高輝度をＹmaxとし、表示領域ユニットにおける画素の光透過率（開口率）の最大値（具体的には、例えば１００％）をＬｔmaxとする。また、面状光源装置を構成するそれぞれの面状光源ユニットが最高輝度Ｙmaxであるときに、表示領域ユニットにおける各画素の表示輝度ｙ0を得るための各画素の光透過率（開口率）をＬｔ0とする。すると、この場合にあっては、面状光源装置を構成するそれぞれの面状光源ユニットの光源輝度Ｙ0を、
Ｙ0・Ｌｔmax＝Ｙmax・Ｌｔ0
を満足するように制御すればよい。尚、このような制御の概念図を図１１の（Ａ）及び（Ｂ）に示す。ここで、面状光源ユニットの光源輝度Ｙ0を、液晶表示装置の画像表示におけるフレーム（便宜上、画像表示フレームと呼ぶ）毎に変化させる。
【０００５】
そして、このような面状光源装置の制御（面状光源装置の分割駆動と呼ぶ場合がある）によって、液晶表示装置における白レベルの増加、黒レベルの低下によるコントラスト比の増加を図ることができる結果、画像表示の品質の向上を図ることができるし、面状光源装置の消費電力の低減を図ることができる。
【０００６】
尚、特開２００５−２５８４０３に開示された技術にあっては、１つの面状光源ユニットには４つの発光ダイオード（ＬＥＤ）が配置されている（特開２００５−２５８４０３の段落番号［００７１］及び図１８参照）。特開２００５−２５８４０３に開示された４つのＬＥＤの配置状態を、図１２の（Ａ）に模式的に示す。
【０００７】
また、表示領域全体を、均一、且つ、一定の明るさで照明する面状光源装置における発光ダイオードの配置の一部を、図１３の（Ａ）及び図１４の（Ａ）に例示する。尚、このような配置例の１つが、日経エレクトロニクス  ２００４年１２月２０日第８８９号の第１２４〜１２８ページに掲載されている。ここで、図面においては、赤色発光ダイオードを丸印の中に「Ｒ」の文字を入れた記号で示し、緑色発光ダイオードを丸印の中に「Ｇ」の文字を入れた記号で示し、青色発光ダイオードを丸印の中に「Ｂ」の文字を入れた記号で示した。
【０００８】
【特許文献１】特開２００５−２５８４０３
【非特許文献１】日経エレクトロニクス  ２００４年１２月２０日第８８９号の第１２４〜１２８ページ
【発明の開示】
【発明が解決しようとする課題】
【０００９】
図１２の（Ａ）に示した４つのＬＥＤの配置状態にあっては、面状光源ユニットの外縁領域において、図１２の（Ｂ）に示すように、部分的な発光色ムラ（発光色ズレ）が生じてしまう。即ち、面状光源ユニットの中央部分からは白色光が出射されるが、面状光源ユニットの外縁領域においては、白色光とは若干異なる光が出射される。尚、図１２の（Ｂ）において、細い点線は、青色発光ＬＥＤによって生成される輝度プロファイルにおける或る値の等高線を模式的に示す。また、一点鎖線は、赤色発光ＬＥＤによって生成される輝度プロファイルにおける或る値の等高線を模式的に示す。緑色発光ＬＥＤによって生成される輝度プロファイルにおける或る値の等高線の図示は省略したが、赤色発光ＬＥＤによって生成される輝度プロファイルあるいは緑色発光ＬＥＤによって生成される輝度プロファイルと一致していない。
【００１０】
同様に、図１３の（Ａ）及び図１４の（Ａ）に示したＬＥＤの配列に基づいて、面状光源装置の分割駆動を試みた場合にも、面状光源ユニットの外縁領域において、図１３の（Ｂ）あるいは図１４の（Ｂ）に示すように、部分的な発光色ムラ（発光色ズレ）が生じてしまう。尚、図１３の（Ａ）及び図１４の（Ａ）において、面状光源装置の分割駆動を試みたときの面状光源装置の分割状態を実線で示す。また、図１３の（Ｂ）及び図１４の（Ｂ）においては、面状光源ユニットの外縁に相当する部分を実線で示す。
【００１１】
そして、このような面状光源ユニットの外縁領域における部分的な色ムラ（色ズレ）は、面状光源ユニットの外縁領域に対応した液晶表示装置における画素における所望の色からのズレの原因となる。
【００１２】
従って、本発明の目的は、分割駆動される面状光源装置を構成する面状光源ユニットの外縁領域における部分的な色ムラ（色ズレ）が生じ難い構成、構造を有する面状光源装置を提供することにある。
【課題を解決するための手段】
【００１３】
上記の目的を達成するための本発明の第１の態様〜第３の態様に係る面状光源装置は、２次元マトリクス状に配列された画素から構成された表示領域を有する透過型の液晶表示装置を背面から照明する面状光源装置であって、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
面状光源ユニットに備えられた光源は、個別に制御され、
各面状光源ユニットに備えられた光源は、複数の発光素子ユニットから構成されており、
各発光素子ユニットは、少なくとも１つの赤色を発光する赤色発光素子、少なくとも１つの緑色を発光する緑色発光素子、及び、少なくとも１つの青色を発光する青色発光素子から構成された面状光源装置である。
【００１４】
そして、本発明の第１の態様に係る面状光源装置にあっては、
各面状光源ユニットにおける複数の赤色発光素子に基づく輝度プロファイルの重心は、該面状光源ユニットの重心と略一致し、
各面状光源ユニットにおける複数の緑色発光素子に基づく輝度プロファイルの重心は、該面状光源ユニットの重心と略一致し、
各面状光源ユニットにおける複数の青色発光素子に基づく輝度プロファイルの重心は、該面状光源ユニットの重心と略一致することを特徴とする。
【００１５】
ここで、面状光源ユニットにおける複数の赤色発光素子に基づく輝度プロファイルの重心が、この面状光源ユニットの重心と略一致するとは、以下のように規定される。即ち、面状光源装置において、１つの面状光源ユニットにおける複数の赤色発光素子のみを点灯して、複数の赤色発光素子の発光に基づく２次元の輝度プロファイルを測定し、面状光源ユニットの外縁の射影像に含まれる２次元の輝度プロファイルの部分における重心を求める。そして、この輝度プロファイルの重心位置が、面状光源ユニットの重心（通常、面状光源ユニットの中心点に一致する）を中心とした直径Ｄ（ｍｍ）の円の内部に位置するとき、「略一致する」とする。ここで、「Ｄ」の値（単位：ｍｍ）は、面状光源ユニットの面積をＳ0（ｍｍ2）としたとき、
Ｄ＝０．２Ｓ01/2
を満足する。「面状光源ユニットにおける複数の緑色発光素子に基づく輝度プロファイルの重心が、この面状光源ユニットの重心と略一致する」、あるいは、「面状光源ユニットにおける複数の青色発光素子に基づく輝度プロファイルの重心が、この面状光源ユニットの重心と略一致する」も、同様の規定とする。尚、輝度プロファイルの所定の位置を原点（０，０）とし、輝度プロファイルにおける点（ｘi，ｙj）における輝度がＬ（ｘi，ｙj）で与えられるとき、以下の式（Ａ）、式（Ｂ）から、輝度プロファイルの重心の座標（ＸC，ＹC）を求めることができる。
【００１６】
2008003220.tif 000003
2008003220.tif 000004
【００１７】
また、本発明の第２の態様に係る面状光源装置にあっては、
各面状光源ユニットにおける複数の赤色発光素子の位置の重心は、該面状光源ユニットの重心と略一致し、
各面状光源ユニットにおける複数の緑色発光素子の位置の重心は、該面状光源ユニットの重心と略一致し、
各面状光源ユニットにおける複数の青色発光素子の位置の重心は、該面状光源ユニットの重心と略一致することを特徴とする。
【００１８】
ここで、面状光源ユニットにおける複数の赤色発光素子の位置の重心が、この面状光源ユニットの重心と略一致するとは、複数の赤色発光素子の位置の重心（複数の赤色発光素子の位置座標から求められた複数の赤色発光素子の中心点）から面状光源ユニットの重心（通常、面状光源ユニットの中心点に一致する）までの距離ｄが、面状光源ユニットの面積をＳ0（ｍｍ2）としたとき、以下の値を満足することを意味する。複数の緑色発光素子、複数の青色発光素子における規定も同様とすることができる。
ｄ≦０．０５Ｓ01/2
【００１９】
更には、本発明の第３の態様に係る面状光源装置にあっては、
面状光源ユニットの平面形状は矩形であり、
各面状光源ユニットにおいて、面状光源ユニットの辺に沿って、少なくとも１つの赤色発光素子、少なくとも１つの緑色発光素子、及び、少なくとも１つの青色発光素子が配置されており、且つ、面状光源ユニットの四辺における赤色発光素子、緑色発光素子及び青色発光素子の並び順は同じであることを特徴とする。
【００２０】
尚、本発明の第３の態様に係る面状光源装置にあっては、面状光源ユニットの一辺に沿って、複数の赤色発光素子が配置されている場合、及び／又は、複数の緑色発光素子が配置されている場合、及び／又は、複数の青色発光素子が配置されている場合、１つの面状光源ユニットの一辺において、同じ発光色の発光素子が隣り合って並ばないことが好ましい。また、隣接する２つの面状光源ユニットの辺に沿って眺めたときにも、赤色発光素子、緑色発光素子及び青色発光素子の並び順は同じであることが好ましい。
【００２１】
本発明の第１の態様〜第３の態様に係る面状光源装置（以下、これらを総称して、単に、本発明の面状光源装置と呼ぶ）において、１つの面状光源ユニットに備えられた光源は複数の発光素子ユニットから構成されているが、発光素子ユニットの個数は、具体的には、２以上であればよく、この場合には、複数の発光素子ユニットを構成するそれぞれの赤色発光素子は２回回転対称に配置されており、複数の発光素子ユニットを構成するそれぞれの緑色発光素子は２回回転対称に配置されており、複数の発光素子ユニットを構成するそれぞれの青色発光素子は２回回転対称に配置されていることが好ましい。更には、発光素子ユニットの個数は、４つであることが最も好ましい。
【００２２】
そして、１つの面状光源ユニットに備えられた光源が４つの発光素子ユニットから構成されている場合、１つの面状光源ユニットにおいて、４つの発光素子ユニットを構成するそれぞれの赤色発光素子は４回回転対称に配置されており、４つの発光素子ユニットを構成するそれぞれの緑色発光素子は４回回転対称に配置されており、４つの発光素子ユニットを構成するそれぞれの青色発光素子は４回回転対称に配置されていることが好ましい。更には、この場合、各発光素子ユニットは、１つの赤色発光素子、２つの緑色発光素子、及び、１つの青色発光素子から構成されており、これらの４つの発光素子は、仮想の矩形の四隅に配置されており、面状光源ユニットの平面形状を矩形とし、面状光源ユニットの重心を原点とした座標系を想定したとき、仮想の矩形の四隅の内の最も原点に近い隅、及び、仮想の矩形の四隅の内の最も原点に遠い隅に、緑色発光素子が配置されており、残りの二隅のそれぞれに、赤色発光素子及び青色発光素子が配置されていることが望ましい。あるいは又、この場合、各発光素子ユニットは、１つの赤色発光素子、１つの緑色発光素子、及び、１つの青色発光素子から構成されており、これらの３つの発光素子のそれぞれは、仮想の「Ｌ」の字の縦棒の先端部分、横棒の先端部分、及び、縦棒と横棒の交わる部分に配置されていることが望ましい。あるいは又、１つの赤色発光素子、２つの緑色発光素子、及び、１つの青色発光素子から構成され、上述のとおり配列されたユニットを「２×２ユニット」と称したとき、各発光素子ユニットは、１×２＝２個の「２×２ユニット」から構成され、あるいは又、２×２＝４個の「２×２ユニット」から構成され、あるいは又、２×３＝６個の「２×２ユニット」から構成され、あるいは又、ａ×ｂ＝ａ・ｂ個の「２×２ユニット」から構成されるといった形態を採用してもよい。
【００２３】
以上に説明した好ましい構成、形態を含む本発明の面状光源装置において、面状光源ユニットと面状光源ユニットとは、隔壁で仕切られている構成とすることもできる。隔壁によって、面状光源ユニットを構成する光源から出射された光の透過が制御され、あるいは又、反射が制御され、あるいは又、透過及び反射が制御される。尚、この場合、１つの面状光源ユニットは、４つの隔壁によって囲まれ、あるいは又、３つの隔壁と筐体（後述する）の１つの側面によって囲まれ、あるいは又、２つの隔壁と筐体の２つの側面によって囲まれている。隔壁を構成する材料として、例えば、アクリル系樹脂、ポリカーボネート樹脂、ＡＢＳ樹脂を挙げることができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００２４】
以上に説明した種々の好ましい構成を含む本発明の面状光源装置において、発光素子として、発光ダイオード（ＬＥＤ）を挙げることができる。発光素子を発光ダイオードから構成する場合、赤色発光素子として、例えば波長６４０ｎｍの赤色を発光する赤色発光ダイオードを挙げることができるし、緑色発光素子として、例えば波長５３０ｎｍの緑色を発光する緑色発光ダイオードを挙げることができるし、青色発光素子として、例えば波長４５０ｎｍの青色を発光する青色発光ダイオードを挙げることができ、これらの発光ダイオードの発光によって、白色光を得ることができる。赤色、緑色、青色以外の第４番目の色、第５番目の色・・・を発光する発光素子（発光ダイオード）を更に備えていてもよいが、この場合には、第４番目の色、第５番目の色・・・を発光する発光素子も、赤色発光素子、緑色発光素子、青色発光素子に要求される規定を満足する必要がある。
【００２５】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。
【００２６】
尚、ランバーシアン方式のように、直進方向への光強度が強いレンズを発光ダイオードの光出射部分に取り付けてもよい。
【００２７】
本発明の面状光源装置にあっては、光源の発光状態（具体的には、例えば、光源の輝度、あるいは、光源の色度、あるいは、光源の輝度と色度）を測定するための光センサーが配設されていることが望ましい。光センサーの数は、最低１個であればよいが、１個の面状光源ユニットに１組の光センサーが配置されている構成とすることが、各面状光源ユニットの発光状態を確実に測定するといった観点から望ましい。光センサーとして、周知のフォトダイオードやＣＣＤ装置を挙げることができる。そして、この場合、１組の光センサーを、赤色光の光強度を測定するために赤色フィルターが取り付けられたフォトダイオード、緑色光の光強度を測定するために緑色フィルターが取り付けられたフォトダイオード、及び、青色光の光強度を測定するために青色フィルターが取り付けられたフォトダイオードから構成することができる。
【００２８】
ここで、画素あるいは副画素の光透過率（開口率とも呼ばれる）Ｌｔ、画素あるいは副画素に対応する表示領域の部分の輝度（表示輝度）ｙ、及び、面状光源ユニットの輝度（光源輝度）Ｙを、以下のとおり、定義する。
【００２９】
Ｙ1・・・・光源輝度の、例えば最高輝度であり、以下、光源輝度・第１規定値と呼ぶ場合がある。
Ｌｔ1・・・表示領域ユニットにおける画素あるいは副画素の光透過率（開口率）の、例えば最大値であり、以下、光透過率・第１規定値と呼ぶ場合がある。
Ｌｔ2・・・光源輝度が光源輝度・第１規定値Ｙ1であるときに、表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号が画素あるいは副画素に供給されたと想定したときの画素あるいは副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、画素あるいは副画素の光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・駆動信号最大値ｘU-maxに等しい値を有する駆動信号に相当する制御信号が画素あるいは副画素に供給されたと想定し、しかも、このときの画素あるいは副画素の光透過率（開口率）が光透過率・第１規定値Ｌｔ1に補正されたと仮定したとき、画素あるいは副画素の輝度を表示輝度・第２規定値（ｙ2）とするための面状光源ユニットの光源輝度。但し、光源輝度Ｙ2には、各面状光源ユニットの光源輝度が他の面状光源ユニットの光源輝度に与える影響を考慮した補正が施される場合がある。
【００３０】
本発明の面状光源装置の駆動時、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御するが、具体的には、例えば、画素あるいは副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（１）を満足するように、画像表示フレーム毎に面状光源ユニットの光源輝度Ｙ2を制御すればよい。尚、Ｙ2≦Ｙ1の関係にある。
【００３１】
Ｙ2・Ｌｔ1＝Ｙ1・Ｌｔ2    （１）
【００３２】
駆動回路は、例えば、パルス幅変調（ＰＷＭ）信号発生回路、デューティ比制御回路、発光ダイオード（ＬＥＤ）駆動回路、演算回路、記憶装置（メモリ）等から構成された面状光源装置制御回路（バックライト制御ユニット及び面状光源ユニット駆動回路）、並びに、タイミングコントローラ等の周知の回路から構成された液晶表示装置駆動回路から構成することができる。
【００３３】
面状光源装置は、更には、拡散板、拡散シート、プリズムシート、偏光変換シートといった光学機能シート群や、反射シートを備えている構成とすることができる。
【００３４】
透過型の液晶表示装置は、例えば、透明第１電極を備えたフロント・パネル、透明第２電極を備えたリア・パネル、及び、フロント・パネルとリア・パネルとの間に配された液晶材料から成る。
【００３５】
フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。カラーフィルターの配置パターンとして、デルタ配列、ストライプ配列、ダイアゴナル配列、レクタングル配列を挙げることができる。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００３６】
透明第１電極と透明第２電極の重複領域であって液晶セルを含む領域が、１画素（ピクセル）あるいは１副画素（サブピクセル）に該当する。そして、透過型のカラー液晶表示装置においては、各画素（ピクセル）を構成する赤色発光副画素（副画素［Ｒ］）は、係る領域と赤色を透過するカラーフィルターとの組合せから構成され、緑色発光副画素（副画素［Ｇ］）は、係る領域と緑色を透過するカラーフィルターとの組合せから構成され、青色発光副画素（副画素［Ｂ］）は、係る領域と青色を透過するカラーフィルターとの組合せから構成されている。副画素［Ｒ］、副画素［Ｇ］及び副画素［Ｂ］の配置パターンは、上述したカラーフィルターの配置パターンと一致する。尚、画素は、赤色発光副画素、緑色発光副画素、及び、青色発光副画素の３つの副画素を１組として構成される構成に限定されず、例えば、これらの３つの副画素に更に１あるいは複数の副画素を加えた１組（例えば、輝度向上のために白色を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。
【００３７】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｍ0，Ｎ0）の値と（Ｐ，Ｑ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００３８】
2008003220.tif 000005
【発明の効果】
【００３９】
本発明の面状光源装置にあっては、各面状光源ユニットにおける複数の赤色発光素子、緑色発光素子、青色発光素子に基づく輝度プロファイルの重心と面状光源ユニットの重心との関係を規定し、あるいは又、各面状光源ユニットにおける複数の赤色発光素子、緑色発光素子、青色発光素子の位置に関する重心と面状光源ユニットの重心との関係を規定し、あるいは又、各面状光源ユニットにおける複数の赤色発光素子、緑色発光素子、青色発光素子の配置、配列状態を規定することによって、面状光源ユニットの外縁領域における部分的な色ムラ（色ズレ）の発生を確実に防止することができる。その結果、面状光源ユニットの外縁領域に対応した液晶表示装置における画素における所望の色からのズレの発生を抑制することができる。
【００４０】
また、面状光源装置において、面状光源ユニットが隔壁で区画されている場合、面状光源ユニットの外縁領域における部分的な色ムラ（色ズレ）の発生が、隔壁の存在によって、一層顕著に認識され易くなるが、本発明の面状光源装置にあっては、面状光源ユニットの外縁領域における部分的な色ムラ（色ズレ）の発生が確実に防止されるので、たとえ、面状光源ユニットが隔壁で区画されている場合であっても、何らの問題も生じ難い。
【００４１】
更には、本発明の面状光源装置において、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御すれば、面状光源装置の消費電力の低減を図ることができるばかりか、白レベルの増加や黒レベルの低下を図り、高いコントラスト比（液晶表示装置の画面表面における、外光反射等を含まない、全黒表示部と全白表示部の輝度比）を得ることができ、所望の表示領域の明るさを強調することが可能となるので、画像表示の品質の向上を図ることができる。
【発明を実施するための最良の形態】
【００４２】
以下、図面を参照して、実施例に基づき本発明の面状光源装置を説明するが、それに先立ち、各実施例において使用に適した透過型のカラー液晶表示装置や面状光源装置の概要を、図５、図６、図７の（Ａ）及び（Ｂ）、図８を参照して、説明する。
【００４３】
図５に概念図を示すように、透過型のカラー液晶表示装置１０は、第１の方向に沿ってＭ0個、第２の方向に沿ってＮ0個の、合計Ｍ0×Ｎ0個の画素が２次元マトリクス状に配列された表示領域１１を備えている。ここで、表示領域１１を、Ｐ×Ｑ個の仮想の表示領域ユニット１２に分割したと想定する。各表示領域ユニット１２は複数の画素から構成されている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図５において、一点鎖線で示す）がＰ×Ｑ個の仮想の表示領域ユニット１２（境界を点線で示す）に分割されている。（Ｐ，Ｑ）の値は、例えば、（１９，１２）である。但し、図面の簡素化のため、図５における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。各画素は、それぞれが異なる色を発光する複数の副画素を１組として構成されている。より具体的には、各画素は、赤色発光副画素（副画素［Ｒ］）、緑色発光副画素（副画素［Ｇ］）、及び、青色発光副画素（副画素［Ｂ］）の３つの副画素（サブピクセル）から構成されている。この透過型のカラー液晶表示装置１０は、線順次駆動される。より具体的には、カラー液晶表示装置１０は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号（制御信号に基づく信号である）に基づき画像を表示させ、１画面を構成する。
【００４４】
カラー液晶表示装置１０は、図８に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００４５】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００４６】
これらの透過型のカラー液晶表示装置を構成する各種の部材や、液晶材料は、周知の部材、材料から構成することができるので、詳細な説明は省略する。
【００４７】
直下型の面状光源装置（バックライト）４０は、Ｐ×Ｑ個の仮想の表示領域ユニット１２に対応したＰ×Ｑ個の面状光源ユニット４２から成り、各面状光源ユニット４２は、面状光源ユニット４２に対応する表示領域ユニット１２を背面から照明する。面状光源ユニット４２に備えられた光源は、個別に制御される。尚、カラー液晶表示装置１０の下方に面状光源装置４０が位置しているが、図５においては、カラー液晶表示装置１０と面状光源装置４０とを別々に表示した。面状光源装置４０における発光ダイオード等の配置、配列状態を図７の（Ａ）に模式的に示し、カラー液晶表示装置１０及び面状光源装置４０から成る液晶表示装置組立体の模式的な一部断面図を図７の（Ｂ）に示す。
【００４８】
各面状光源ユニット４２に備えられた光源は、複数の発光素子ユニット４３から構成されている。また、各発光素子ユニット４３は、少なくとも１つの赤色を発光する赤色発光素子（具体的には、赤色発光ダイオード４４Ｒ）、少なくとも１つの緑色を発光する緑色発光素子（具体的には、緑色発光ダイオード４４Ｇ）、及び、少なくとも１つの青色を発光する青色発光素子（具体的には、青色発光ダイオード４４Ｂ）から構成されている。各発光ダイオード４４Ｒ，４４Ｇ，４４Ｂは、パルス幅変調（ＰＷＭ）制御方式に基づき駆動される。尚、赤色発光ダイオード４４Ｒは、赤色（例えば、波長６４０ｎｍ）を発光し、緑色発光ダイオード４４Ｇは、緑色（例えば、波長５３０ｎｍ）を発光し、青色発光ダイオードは、青色（例えば、波長４５０ｎｍ）を発光する。
【００４９】
また、面状光源ユニット４２の平面形状は矩形である。
【００５０】
図７の（Ｂ）に液晶表示装置組立体の模式的な一部断面図を示すように、面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、拡散板６１が、スペーサ５５Ｃ、ブラケット部材５７を介して、内側フレーム５４に取り付けられている。また、拡散板６１の上には、拡散シート６２、プリズムシート６３、偏光変換シート６４といった光学機能シート群が積層されている。
【００５１】
筐体５１の内部であって下部には、反射シート６５が備えられている。ここで、この反射シート６５は、その反射面が拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、複数の発光ダイオード４４から出射された光や、筐体５１の側面５２Ｂ、あるいは、場合によっては、図７の（Ａ）に示す隔壁４１によって反射された光を反射する。こうして、赤色を発光する複数の赤色発光ダイオード４４Ｒ、緑色を発光する複数の緑色発光ダイオード４４Ｇ、及び、青色を発光する複数の青色発光ダイオード４４Ｂから出射された赤色光、緑色光及び青色光が混色され、色純度の高い白色光を照明光として得ることができる。この照明光は、拡散板６１、拡散シート６２、プリズムシート６３、偏光変換シート６４といった光学機能シート群を通過し、カラー液晶表示装置１０を背面から照射する。
【００５２】
筐体５１の底面５２Ａ近傍には、光センサーであるフォトダイオード４５Ｒ，４５Ｇ，４５Ｂが配置されている。尚、フォトダイオード４５Ｒは、赤色光の光強度を測定するために赤色フィルターが取り付けられたフォトダイオードであり、フォトダイオード４５Ｇは、緑色光の光強度を測定するために緑色フィルターが取り付けられたフォトダイオードであり、フォトダイオード４５Ｂは、青色光の光強度を測定するために青色フィルターが取り付けられたフォトダイオードである。ここで、１個の面状光源ユニット４２に１組の光センサー（フォトダイオード４５Ｒ，４５Ｇ，４５Ｂ）が配置されている。光センサーであるフォトダイオード４５Ｒ，４５Ｇ，４５Ｂによって、発光ダイオード４４Ｒ，４４Ｇ，４４Ｂの輝度及び色度が測定される。
【００５３】
面状光源装置４０を構成する面状光源ユニット４２と面状光源ユニット４２とは、必須ではないが、隔壁４１で仕切られている。１つの面状光源ユニット４２は、４つの隔壁４１によって囲まれ、あるいは又、３つの隔壁４１と筐体５１の１つの側面５２Ｂによって囲まれ、あるいは又、２つの隔壁４１と筐体５１の２つの側面５２Ｂによって囲まれている。
【００５４】
図５及び図６に示すように、外部（ディスプレイ回路）からの駆動信号に基づき面状光源装置４０及びカラー液晶表示装置１０を駆動するための駆動回路は、パルス幅変調制御方式に基づき、各面状光源ユニット４２における発光素子ユニット４３を構成する、直列接続された赤色発光ダイオード４４Ｒ、直列接続された緑色発光ダイオード４４Ｇ、及び、直列接続された青色発光ダイオード４４Ｂのオン／オフ制御を行うバックライト制御ユニット７０及び面状光源ユニット駆動回路８０、並びに、液晶表示装置駆動回路９０から構成されている。バックライト制御ユニット７０は、演算回路７１及び記憶装置（メモリ）７２から構成されている。一方、面状光源ユニット駆動回路８０は、演算回路８１、記憶装置（メモリ）８２、ＬＥＤ駆動回路８３、フォトダイオード制御回路８４、ＦＥＴから成るスイッチング素子８５Ｒ，８５Ｇ，８５Ｂ、発光ダイオード駆動電源（定電流源）８６から構成されている。バックライト制御ユニット７０及び面状光源ユニット駆動回路８０を構成するこれらの回路等は、周知の回路等とすることができる。一方、カラー液晶表示装置１０を駆動するための液晶表示装置駆動回路９０は、タイミングコントローラ９１といった周知の回路から構成されている。カラー液晶表示装置１０には、液晶セルを構成するＴＦＴから成るスイッチング素子３２を駆動するための、ゲート・ドライバ、ソース・ドライバ等（これらは図示せず）が備えられている。或る画像表示フレームにおける発光ダイオード４４Ｒ，４４Ｇ，４４Ｂの発光状態は、フォトダイオード４５Ｒ，４５Ｇ，４５Ｂによって測定され、フォトダイオード４５Ｒ，４５Ｇ，４５Ｂからの出力はフォトダイオード制御回路８４に入力され、フォトダイオード制御回路８４、演算回路８１において、発光ダイオード４４Ｒ，４４Ｇ，４４Ｂの例えば輝度及び色度としてのデータ（信号）とされ、係るデータがＬＥＤ駆動回路８３に送られ、次の画像表示フレームにおける発光ダイオード４４Ｒ，４４Ｇ，４４Ｂの発光状態が制御されるといったフィードバック機構が形成される。また、発光ダイオード４４Ｒ，４４Ｇ，４４Ｂの下流には電流検出用の抵抗体ｒR，ｒG，ｒBが、発光ダイオード４４Ｒ，４４Ｇ，４４Ｂと直列に挿入されており、抵抗体ｒR，ｒG，ｒBを流れる電流が電圧に変換され、抵抗体ｒR，ｒG，ｒBにおける電圧降下が所定の値となるように、ＬＥＤ駆動回路８３の制御下、発光ダイオード駆動電源８６の動作が制御される。ここで、図６には、発光ダイオード駆動電源（定電流源）８６を１つで描写しているが、実際には、発光ダイオード４４Ｒ，４４Ｇ，４４Ｂのそれぞれを駆動するための発光ダイオード駆動電源８６が配されている。
【００５５】
２次元マトリクス状に配列された画素から構成された表示領域１１がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。尚、２次元マトリクス状に配列され、第ｑ行、第ｐ列［但し、ｑ＝１，２，・・・，Ｑであり、ｐ＝１，２，・・・，Ｐである］に位置する表示領域ユニット、面状光源ユニットを、それぞれ、表示領域ユニット１２(q,p)、面状光源ユニット４２(q,p)と表記し、表示領域ユニット１２(q,p)あるいは面状光源ユニット４２(q,p)に関連する要素、項目に、添字「(q,p)」あるいは「-(q,p)」を付する場合がある。ここで、赤色発光副画素（副画素［Ｒ］）、緑色発光副画素（副画素［Ｇ］）、及び、青色発光副画素（副画素［Ｂ］）を一括して纏めて『副画素［Ｒ，Ｇ，Ｂ］』と呼ぶ場合があるし、副画素［Ｒ，Ｇ，Ｂ］の動作の制御（具体的には、例えば、光透過率（開口率）の制御）のために副画素［Ｒ，Ｇ，Ｂ］に入力される赤色発光制御信号、緑色発光制御信号、及び、青色発光制御信号を一括して纏めて『制御信号［Ｒ，Ｇ，Ｂ］』と呼ぶ場合があるし、表示領域ユニットを構成する副画素［Ｒ，Ｇ，Ｂ］を駆動するために駆動回路に外部から入力される赤色発光副画素駆動信号、緑色発光副画素駆動信号、及び、青色発光副画素駆動信号を一括して纏めて『駆動信号［Ｒ，Ｇ，Ｂ］』と呼ぶ場合がある。
【００５６】
各画素は、副画素［Ｒ］（赤色発光サブピクセル）、副画素［Ｇ］（緑色発光サブピクセル）、及び、副画素［Ｂ］（青色発光サブピクセル）の３つの副画素（サブピクセル）を１組として構成されているが、以下の実施例の説明においては、副画素［Ｒ，Ｇ，Ｂ］のそれぞれの輝度の制御（階調制御）を８ビット制御とし、０〜２５５の２8段階にて行うとする。従って、各表示領域ユニット１２を構成する各画素における副画素［Ｒ，Ｇ，Ｂ］のそれぞれを駆動するために液晶表示装置駆動回路９０に入力される駆動信号［Ｒ，Ｇ，Ｂ］の値ｘR，ｘG，ｘBのそれぞれは、２8段階の値をとる。また、各面状光源ユニットを構成する赤色発光ダイオード４４Ｒ、緑色発光ダイオード４４Ｇ及び青色発光ダイオード４４Ｂのそれぞれの発光時間を制御するためのパルス幅変調出力信号の値ＳR，ＳG，ＳBも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００５７】
画素のそれぞれに、画素のそれぞれの光透過率Ｌｔを制御する制御信号が駆動回路から供給される。具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路９０から供給される。即ち、液晶表示装置駆動回路９０においては、入力された駆動信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される。尚、面状光源ユニット４２の光源輝度Ｙ2を１画像表示フレーム毎に変化させるので、制御信号［Ｒ，Ｇ，Ｂ］は、基本的に、駆動信号［Ｒ，Ｇ，Ｂ］の値を２．２乗した値に対して、光源輝度Ｙ2の変化に基づく補正（補償）を行った値を有する。そして、液晶表示装置駆動回路９０を構成するタイミングコントローラ９１から、カラー液晶表示装置１０のゲート・ドライバ及びソース・ドライバに、制御信号［Ｒ，Ｇ，Ｂ］が周知の方法で送出され、制御信号［Ｒ，Ｇ，Ｂ］に基づき各副画素を構成するスイッチング素子３２が駆動され、液晶セルを構成する透明第１電極２４及び透明第２電極３４に所望の電圧が印加されることで、各副画素の光透過率（開口率）Ｌｔが制御される。ここで、制御信号［Ｒ，Ｇ，Ｂ］の値が大きいほど、副画素［Ｒ，Ｇ，Ｂ］の光透過率（副画素の開口率）Ｌｔが高くなり、副画素［Ｒ，Ｇ，Ｂ］の輝度（表示輝度ｙ）の値が高くなる。即ち、副画素［Ｒ，Ｇ，Ｂ］を通過する光によって構成される画像（通常、一種、点状である）は明るい。
【００５８】
表示輝度ｙ及び光源輝度Ｙ2の制御は、カラー液晶表示装置１０の画像表示における１画像表示フレーム毎、表示領域ユニット毎、面状光源ユニット毎に行われる。また、１画像表示フレーム内におけるカラー液晶表示装置１０の動作と面状光源装置４０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【実施例１】
【００５９】
実施例１は、本発明の第１の態様〜第３の態様に係る面状光源装置に関する。
【００６０】
即ち、実施例１の面状光源装置４０にあっては、各面状光源ユニット４２(q,p)において、複数の赤色発光素子（赤色発光ダイオード４４Ｒ）に基づく輝度プロファイルの重心は面状光源ユニット４２(q,p)の重心と略一致しており、また、複数の緑色発光素子（緑色発光ダイオード４４Ｇ）に基づく輝度プロファイルの重心は面状光源ユニット４２(q,p)の重心と略一致しており、更には、複数の青色発光素子（青色発光ダイオード４４Ｂ）に基づく輝度プロファイルの重心は面状光源ユニット４２(q,p)の重心と略一致している。尚、輝度プロファイルの１例を模式的に図３のグラフに示す。
【００６１】
あるいは又、実施例１の面状光源装置４０にあっては、各面状光源ユニット４２(q,p)において、複数の赤色発光素子（赤色発光ダイオード４４Ｒ）の位置の重心は面状光源ユニット４２(q,p)の重心と略一致しており、また、複数の緑色発光素子（緑色発光ダイオード４４Ｇ）の位置の重心は面状光源ユニット４２(q,p)の重心と略一致しており、複数の青色発光素子（青色発光ダイオード４４Ｂ）の位置の重心は面状光源ユニット４２(q,p)の重心と略一致している。
【００６２】
尚、複数の赤色発光素子（赤色発光ダイオード４４Ｒ）の発光特性が同じ場合には、複数の赤色発光素子（赤色発光ダイオード４４Ｒ）に基づく輝度プロファイルの重心、及び、複数の赤色発光素子（赤色発光ダイオード４４Ｒ）の位置の重心は、面状光源ユニット４２(q,p)の重心と略一致する。また、複数の緑色発光素子（赤色発光ダイオード４４Ｇ）の発光特性が同じ場合には、複数の緑色発光素子（赤色発光ダイオード４４Ｇ）に基づく輝度プロファイルの重心、及び、複数の緑色発光素子（赤色発光ダイオード４４Ｇ）の位置の重心は、面状光源ユニット４２(q,p)の重心と略一致する。更には、複数の青色発光素子（赤色発光ダイオード４４Ｂ）の発光特性が同じ場合には、複数の青色発光素子（赤色発光ダイオード４４Ｂ）に基づく輝度プロファイルの重心、及び、複数の青色発光素子（赤色発光ダイオード４４Ｂ）の位置の重心は、面状光源ユニット４２(q,p)の重心と略一致する。
【００６３】
更には、実施例１の面状光源装置４０にあっては、各面状光源ユニット４２(q,p)において、面状光源ユニット４２(q,p)の辺に沿って、少なくとも１つの赤色発光素子４４Ｒ、少なくとも１つの緑色発光素子４４Ｇ、及び、少なくとも１つの青色発光素子４４Ｂが配置されており、且つ、面状光源ユニット４２(q,p)の四辺における赤色発光素子４４Ｒ、緑色発光素子４４Ｇ及び青色発光素子４４Ｂの並び順は同じである。
【００６４】
より具体的には、実施例１にあっては、１つの面状光源ユニット４２(q,p)は、４つの発光素子ユニット４３から構成されている。そして、１つの面状光源ユニット４２(q,p)において、４つの発光素子ユニット４３を構成するそれぞれの赤色発光素子４４Ｒは４回回転対称に配置されており、４つの発光素子ユニット４３を構成するそれぞれの緑色発光素子４４Ｇは４回回転対称に配置されており、４つの発光素子ユニット４３を構成するそれぞれの青色発光素子４４Ｂは４回回転対称に配置されている。
【００６５】
即ち、図１の（Ａ）及び（Ｂ）に模式的な配置、配列を図示するように、各発光素子ユニット４３は、１つの赤色発光素子４４Ｒ、２つの緑色発光素子４４Ｇ、及び、１つの青色発光素子４４Ｂから構成されている。そして、これらの４つの発光素子４４Ｒ，４４Ｇ，４４Ｂは、仮想の矩形の四隅に配置されており、面状光源ユニット４２(q,p)の重心を原点とした座標系を想定したとき、仮想の矩形の四隅の内の最も原点に近い隅、及び、仮想の矩形の四隅の内の最も原点に遠い隅に、緑色発光素子４４Ｇが配置されており、残りの二隅のそれぞれに、赤色発光素子４４Ｒ及び青色発光素子４４Ｂが配置されている。また、面状光源ユニット４２(q,p)の四辺における赤色発光素子４４Ｒ、緑色発光素子４４Ｇ及び青色発光素子４４Ｂの並び順は、面状光源ユニット４２(q,p)の重心を中心として、時計回りに面状光源ユニット４２(q,p)の四辺を回ったとき、全ての辺において、緑色発光素子４４Ｇ、青色発光素子４４Ｂ、赤色発光素子４４Ｒ、緑色発光素子４４Ｇの順序で配置されている。尚、仮想の矩形の辺は、面状光源ユニットの辺と平行である。
【００６６】
また、図１の（Ｂ）に模式的な配置、配列を図示するように、１つの面状光源ユニット４２(q,p)の一辺に沿って、１つの赤色発光素子４４Ｒが配置されており、２つの緑色発光素子４４Ｇが配置されており、更には、１つの青色発光素子４４Ｂが配置されているが、１つの面状光源ユニット４２(q,p)の一辺に沿って、同じ発光色の発光素子が隣り合って並んではいない。更には、隣接する２つの面状光源ユニット［面状光源ユニット４２(q,p)を中心として考えた場合、面状光源ユニット４２(q-1,p)，面状光源ユニット４２(q+1,p)，面状光源ユニット４２(q,p-1)及び面状光源ユニット４２(q,p+1)］の辺に沿って眺めたときにも、赤色発光素子４４Ｒ、緑色発光素子４４Ｇ及び青色発光素子４４Ｂの並び順は同じである。
【００６７】
以下、実施例１における液晶表示装置組立体の駆動方法を、図５及び図６、並びに、図４の流れ図を参照して説明する。
【００６８】
［ステップ−１００］
スキャンコンバータ等の周知のディスプレイ回路から送出された１画像表示フレーム分の駆動信号［Ｒ，Ｇ，Ｂ］及びクロック信号ＣＬＫは、バックライト制御ユニット７０及び液晶表示装置駆動回路９０に入力される（図５参照）。尚、駆動信号［Ｒ，Ｇ，Ｂ］は、例えば撮像管への入力光量をｙ’としたとき、撮像管からの出力信号であり、例えば放送局等から出力され、画素の光透過率Ｌｔを制御するために液晶表示装置駆動回路９０にも入力される駆動信号であり、入力光量ｙ’の０．４５乗の関数で表すことができる。そして、バックライト制御ユニット７０に入力された１画像表示フレーム分の駆動信号［Ｒ，Ｇ，Ｂ］の値ｘR，ｘG，ｘBは、バックライト制御ユニット７０を構成する記憶装置（メモリ）７２に、一旦、記憶される。また、液晶表示装置駆動回路９０に入力された１画像表示フレーム分の駆動信号［Ｒ，Ｇ，Ｂ］の値ｘR，ｘG，ｘBも、液晶表示装置駆動回路９０を構成する記憶装置（図示せず）に、一旦、記憶される。
【００６９】
［ステップ−１１０］
次いで、バックライト制御ユニット７０を構成する演算回路７１においては、記憶装置７２に記憶された駆動信号［Ｒ，Ｇ，Ｂ］の値を読み出し、第（ｐ，ｑ）番目［但し、先ず、ｐ＝１，ｑ＝１］の表示領域ユニット１２(q,p)において、この第（ｐ，ｑ）番目の表示領域ユニット１２(q,p)を構成する全ての画素における副画素［Ｒ，Ｇ，Ｂ］(q,p)を駆動するための駆動信号［Ｒ，Ｇ，Ｂ］(q,p)の値ｘR-(q,p)，ｘG-(q,p)，ｘB-(q,p)の内の最大値である表示領域ユニット内・駆動信号最大値ｘU-max(q,p)を、演算回路７１において求める。そして、表示領域ユニット内・駆動信号最大値ｘU-max(q,p)を、記憶装置７２に記憶する。このステップを、ｍ＝１，２，・・・，Ｍ、ｎ＝１，２，・・・，Ｎの全てに対して、即ち、Ｍ×Ｎ個の画素に対して、実行する。
【００７０】
例えば、ｘR-(q,p)が「１１０」に相当する値であり、ｘG-(q,p)が「１５０」に相当する値であり、ｘB-(q,p)が「５０」に相当する値である場合、ｘU-max(q,p)は「１５０」に相当する値である。
【００７１】
この操作を、（ｐ，ｑ）＝（１，１）から（Ｐ，Ｑ）まで繰り返し、全ての表示領域ユニット１２(q,p)における表示領域ユニット内・駆動信号最大値ｘU-max(q,p)を、記憶装置７２に記憶する。
【００７２】
［ステップ−１２０］
そして、表示領域ユニット内・駆動信号最大値ｘU-max(q,p)に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの輝度（光透過率・第１規定値Ｌｔ1における表示輝度・第２規定値ｙ2-(q,p)）が面状光源ユニット４２(q,p)によって得られるように、表示領域ユニット１２(q,p)に対応する面状光源ユニット４２(q,p)の光源輝度Ｙ2-(q,p)を、面状光源ユニット駆動回路８０(q,p)の制御下、増減する。具体的には、以下の式（１）を満足するように、１画像表示フレーム毎、１面状光源ユニット毎に光源輝度Ｙ2を制御すればよい。より具体的には、光源輝度制御関数ｇ（ｘnol-max）である式（２）に基づき発光素子ユニット４３の輝度を制御し、且つ、式（１）を満足するように光源輝度Ｙ2を制御すればよい。このような制御の概念図を、図９の（Ａ）及び（Ｂ）に示す。但し、後述するように、他の面状光源ユニット４２の影響等に基づいた補正を、光源輝度Ｙ2に対して施す必要がある。尚、光源輝度Ｙ2の制御に関するこれらの関係、即ち、表示領域ユニット内・駆動信号最大値ｘU-max、この最大値ｘU-maxに等しい値を有する駆動信号に相当する制御信号の値、このような制御信号が画素（副画素）に供給されたと想定したときの表示輝度・第２規定値ｙ2、このときの各副画素の光透過率（開口率）［光透過率・第２規定値Ｌｔ2］、各副画素の光透過率（開口率）を光透過率・第１規定値Ｌｔ1としたときに表示輝度・第２規定値ｙ2が得られるような面状光源ユニットにおける輝度制御パラメータの関係は、予め求めておき、記憶装置７２等に記憶しておけばよい。
【００７３】
Ｙ2・Ｌｔ1＝Ｙ1・Ｌｔ2    （１）
ｇ（ｘnol-max）＝ａ1・（ｘnol-max）2.2＋ａ0    （２）
【００７４】
ここで、画素（あるいは、画素を構成する副画素［Ｒ，Ｇ，Ｂ］のそれぞれ）を駆動するために液晶表示装置駆動回路９０に入力される駆動信号（駆動信号［Ｒ，Ｇ，Ｂ］）の最大値をｘmaxとしたとき、
ｘnol-max≡ｘU-max／ｘmax
であり、ａ1，ａ0は定数であり、
ａ1＋ａ0＝１
０＜ａ0＜１，０＜ａ1＜１
で表すことができる。例えば、
ａ1＝０．９９
ａ0＝０．０１
とすればよい。また、駆動信号［Ｒ，Ｇ，Ｂ］の値ｘR，ｘG，ｘBのそれぞれは、２8段階の値をとるので、ｘmaxの値は「２５５」に相当する値である。
【００７５】
ところで、面状光源装置４０にあっては、例えば、（ｐ，ｑ）＝（１，１）の面状光源ユニット４２(1,1)の輝度制御を想定した場合、他のＰ×Ｑ個の面状光源ユニット４２からの影響を考慮する必要がある。このような面状光源ユニット４２が他の面状光源ユニット４２から受ける影響は、各面状光源ユニット４２の発光プロファイルによって予め判明しているので、逆算によって差分を計算でき、その結果、補正が可能である。演算の基本形を以下に説明する。
【００７６】
式（１）及び式（２）の要請に基づくＰ×Ｑ個の面状光源ユニット４２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｐ×Ｑ個の面状光源ユニット４２に対して予め求めておく。係る輝度を行列［Ｌ’PxQ］で表す。更には、補正係数を行列［αPxQ］で表す。すると、これらの行列の関係は、以下の式（３−１）で表すことができる。補正係数の行列［αPxQ］は、予め求めておくことができる。
［ＬPxQ］＝［Ｌ’PxQ］・［αPxQ］    （３−１）
よって、式（３−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （３−２）
を計算すればよい。そして、行列［Ｌ’PxQ］で表された輝度が得られるように、各面状光源ユニット４２(q,p)に備えられた光源（複数の発光素子ユニット４３）を制御すればよく、具体的には、係る操作、処理は、記憶装置（メモリ）８２に記憶された情報（データテーブル）を用いて行えばよい。尚、複数の発光素子ユニット４３の制御にあっては、行列［Ｌ’PxQ］の値は負の値を取れないので、演算結果は正の領域にとどめる必要があることは云うまでもない。従って、式（３−２）の解は厳密解ではなく、近似解となる場合がある。
【００７７】
このように、バックライト制御ユニット７０を構成する演算回路７１において得られた式（１）及び式（２）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置７２に記憶された変換テーブルに基づき、０〜２５５の範囲内の対応する整数に変換する。こうして、バックライト制御ユニット７０を構成する演算回路７１において、面状光源ユニット４２(q,p)における赤色発光ダイオード４４Ｒの発光時間を制御するためのパルス幅変調出力信号の値ＳR-(q,p)、緑色発光ダイオード４４Ｇの発光時間を制御するためのパルス幅変調出力信号の値ＳG-(q,p)、青色発光ダイオード４４Ｂの発光時間を制御するためのパルス幅変調出力信号の値ＳB-(q,p)を得ることができる。
【００７８】
［ステップ−１３０］
次に、バックライト制御ユニット７０を構成する演算回路７１において得られたパルス幅変調出力信号の値ＳR-(q,p)，ＳG-(q,p)，ＳB-(q,p)は、面状光源ユニット４２(q,p)に対応して設けられた面状光源ユニット駆動回路８０(q,p)の記憶装置８２に送出され、記憶装置８２において記憶される。また、クロック信号ＣＬＫも面状光源ユニット駆動回路８０(q,p)に送出される（図６参照）。
【００７９】
［ステップ−１４０］
そして、パルス幅変調出力信号の値ＳR-(q,p)，ＳG-(q,p)，ＳB-(q,p)に基づき、面状光源ユニット４２(q,p)を構成する赤色発光ダイオード４４Ｒのオン時間ｔR-ON及びオフ時間ｔR-OFF、緑色発光ダイオード４４Ｇのオン時間ｔG-ON及びオフ時間ｔG-OFF、青色発光ダイオード４４Ｂのオン時間ｔB-ON及びオフ時間ｔB-OFFを演算回路８１は決定する。尚、
ｔR-ON＋ｔR-OFF＝ｔG-ON＋ｔG-OFF＝ｔB-ON＋ｔB-OFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【００８０】
そして、面状光源ユニット４２(q,p)を構成する赤色発光ダイオード４４Ｒ，緑色発光ダイオード４４Ｇ、青色発光ダイオード４４Ｂのオン時間ｔR-ON-(q,p)，ｔG-ON-(q,p)，ｔB-ON-(q,p)に相当する信号が、ＬＥＤ駆動回路８３に送られ、このＬＥＤ駆動回路８３から、オン時間ｔR-ON-(q,p)，ｔG-ON-(q,p)，ｔB-ON-(q,p)に相当する信号の値に基づき、スイッチング素子８５Ｒ(q,p)，８５Ｇ(q,p)，８５Ｂ(q,p)が、オン時間ｔR-ON-(q,p)，ｔG-ON-(q,p)，ｔB-ON-(q,p)だけオン状態となり、発光ダイオード駆動電源８６からのＬＥＤ駆動電流が、各発光ダイオード４４Ｒ，４４Ｇ，４４Ｂに流される。その結果、各発光ダイオード４４Ｒ，４４Ｇ，４４Ｂは、１画像表示フレームにおいて、オン時間ｔR-ON-(q,p)，ｔG-ON-(q,p)，ｔB-ON-(q,p)だけ発光する。こうして、第（ｐ，ｑ）番目の表示領域ユニット１２(q,p)を、所定の照度において照明する。
【００８１】
こうして得られた状態を、図１０の（Ａ）及び（Ｂ）に実線で示すが、図１０の（Ａ）は、副画素を駆動するために液晶表示装置駆動回路９０に入力される駆動信号の値を２．２乗した値（ｘ’≡ｘ2.2）とデューティ比（＝ｔON／ｔConst）との関係を模式的に示す図であり、図１０の（Ｂ）は、副画素の光透過率Ｌｔを制御するための制御信号の値Ｘと表示輝度ｙとの関係を模式的に示す図である。
【００８２】
［ステップ−１５０］
一方、液晶表示装置駆動回路９０に入力された駆動信号［Ｒ，Ｇ，Ｂ］(q,p)の値ｘR-(q,p)，ｘG-(q,p)，ｘB-(q,p)はタイミングコントローラ９１へ送られ、タイミングコントローラ９１にあっては、入力された駆動信号［Ｒ，Ｇ，Ｂ］(q,p)に相当する制御信号［Ｒ，Ｇ，Ｂ］(q,p)を、副画素［Ｒ，Ｇ，Ｂ］(q,p)に供給（出力）する。液晶表示装置駆動回路９０のタイミングコントローラ９１において生成され、液晶表示装置駆動回路９０から副画素［Ｒ，Ｇ，Ｂ］(q,p)に供給される制御信号［Ｒ，Ｇ，Ｂ］(q,p)の値ＸR-(q,p)，ＸG-(q,p)，ＸB-(q,p)と、駆動信号［Ｒ，Ｇ，Ｂ］(q,p)の値ｘR-(q,p)，ｘG-(q,p)，ｘB-(q,p)とは、以下の式（４−１）、式（４−２）、式（４−３）の関係にある。但し、ｂ1_R，ｂ0_R，ｂ1_G，ｂ0_G，ｂ1_B，ｂ0_Bは定数である。また、面状光源ユニット４２(q,p)の光源輝度Ｙ2-(q,p)を画像表示フレーム毎に変化させるので、制御信号［Ｒ，Ｇ，Ｂ］(q,p)は、基本的に、駆動信号［Ｒ，Ｇ，Ｂ］(q,p)の値を２．２乗した値に対して、光源輝度Ｙ2-(q,p)の変化に基づく補正（補償）を行った値を有する。即ち、実施例１にあっては、１画像表示フレーム毎に光源輝度Ｙ2-(q,p)が変化するので、光源輝度Ｙ2-(q,p)（≦Ｙ1）において表示輝度・第２規定値ｙ2-(q,p)が得られるように制御信号［Ｒ，Ｇ，Ｂ］(q,p)の値ＸR-(q,p)，ＸG-(q,p)，ＸB-(q,p)を決定、補正（補償）して、画素あるいは副画素の光透過率（開口率）Ｌｔを制御している。ここで、式（４−１）、式（４−２）、式（４−３）の関数ｆR，ｆG，ｆBは、係る補正（補償）を行うための予め求められた関数である。
【００８３】
ＸR-(q,p)＝ｆR（ｂ1_R・ｘR-(q,p)2.2＋ｂ0_R）    （４−１）
ＸG-(q,p)＝ｆG（ｂ1_G・ｘG-(q,p)2.2＋ｂ0_G）    （４−２）
ＸB-(q,p)＝ｆB（ｂ1_B・ｘB-(q,p)2.2＋ｂ0_B）    （４−３）
【００８４】
こうして、１画像表示フレームにおける画像表示動作が完了する。
【実施例２】
【００８５】
実施例２は、実施例１の変形である。図２の（Ａ）及び（Ｂ）に模式的な配置、配列を図示するように、実施例２にあっては、各発光素子ユニット４３は、１つの赤色発光素子（赤色発光ダイオード４４Ｒ）、１つの緑色発光素子（緑色発光ダイオード４４Ｇ）、及び、１つの青色発光素子（青色発光ダイオード４４Ｂ）から構成されている。そして、これらの３つの発光素子４４Ｒ，４４Ｂ，４４Ｇのそれぞれは、仮想の「Ｌ」の字の縦棒の先端部分、横棒の先端部分、及び、縦棒と横棒の交わる部分に配置されている。尚、仮想の「Ｌ」の字の縦棒及び横棒は、面状光源ユニットの辺と平行であり、仮想の「Ｌ」の字の縦棒と横棒の交わる部分は、面状光源ユニットの隅に近接している。
【００８６】
しかも、面状光源ユニット４２(q,p)の四辺における赤色発光素子４４Ｒ、緑色発光素子４４Ｇ及び青色発光素子４４Ｂの並び順は、面状光源ユニット４２(q,p)の重心を中心として、時計回りに面状光源ユニット４２(q,p)の四辺を回ったとき、全ての辺において、緑色発光素子４４Ｇ、青色発光素子４４Ｂ、赤色発光素子４４Ｒ、緑色発光素子４４Ｇの順序で配置されている。
【００８７】
また、図２の（Ｂ）に模式的な配置、配列を図示するように、面状光源ユニット４２(q,p)の一辺に沿って、１つの赤色発光素子４４Ｒが配置されており、１つの緑色発光素子４４Ｇが配置されており、更には、１つの青色発光素子４４Ｂが配置されているが、１つの面状光源ユニット４２(q,p)の一辺に沿って、同じ発光色の発光素子が隣り合って並んではいない。更には、隣接する２つの面状光源ユニット［面状光源ユニット４２(q,p)を中心として考えた場合、面状光源ユニット４２(q-1,p)，面状光源ユニット４２(q+1,p)，面状光源ユニット４２(q,p-1)及び面状光源ユニット４２(q,p+1)］の辺に沿って眺めたときにも、赤色発光素子４４Ｒ、緑色発光素子４４Ｇ及び青色発光素子４４Ｂの並び順は同じである。
【００８８】
以上に説明した発光ダイオードの配列を除き、実施例２の面状光源装置の構成、構造、動作、駆動方法は、実施例１にて説明した面状光源装置の構成、構造、動作、駆動方法と同様とすることができるので詳細な説明は省略する。
【００８９】
以上、本発明を好ましい実施例に基づき説明したが、本発明はこれらの実施例に限定されるものではない。実施例において説明した透過型のカラー液晶表示装置や面状光源装置、面状光源ユニット、液晶表示装置組立体、駆動回路の構成、構造は例示であるし、これらを構成する部材、材料等も例示であり、適宜、変更することができる。実施例においては、面状光源ユニットの四隅の近傍に各発光素子ユニットを配置したが、各発光素子ユニットの配置はこれに限定されず、面状光源ユニットの四辺の近傍に配置してもよい。発光ダイオードの温度を温度センサーで監視し、その結果を、面状光源ユニット駆動回路８０にフィードバックすることで、面状光源ユニット４２の輝度補償（補正）や温度制御を行ってもよい。実施例においては、液晶表示装置の表示領域をＰ×Ｑ個の仮想の表示領域ユニットに分割したと想定して説明を行ったが、場合によっては、透過型の液晶表示装置は、Ｐ×Ｑ個の実際の表示領域ユニットに分割された構造を有していてもよい。
【００９０】
実施例においては、本発明の第１の態様に係る面状光源装置の構成要件、本発明の第２の態様に係る面状光源装置の構成要件、及び、本発明の第３の態様に係る面状光源装置の構成要件を同時に満足する面状光源装置を説明したが、面状光源装置は、当然のことながら、
（１）本発明の第１の態様に係る面状光源装置の構成要件のみを満足してもよいし、
（２）本発明の第２の態様に係る面状光源装置の構成要件のみを満足してもよいし、
（３）本発明の第３の態様に係る面状光源装置の構成要件のみを満足してもよいし、
（４）本発明の第１の態様に係る面状光源装置の構成要件及び本発明の第２の態様に係る面状光源装置の構成要件を満足してもよいし、
（５）本発明の第２の態様に係る面状光源装置の構成要件及び本発明の第３の態様に係る面状光源装置の構成要件を満足してもよいし、
（６）本発明の第３の態様に係る面状光源装置の構成要件及び本発明の第１の態様に係る面状光源装置の構成要件を満足してもよい。
【図面の簡単な説明】
【００９１】
【図１】図１の（Ａ）及び（Ｂ）は、実施例１における発光素子ユニットを構成する発光素子の配置を模式的に示す図である。
【図２】図２の（Ａ）及び（Ｂ）は、実施例２における発光素子ユニットを構成する発光素子の配置を模式的に示す図である。
【図３】図３は、輝度プロファイルの１例を模式的に示すグラフである。
【図４】図４は、実施例１における液晶表示装置組立体の駆動方法を説明するための流れ図である。
【図５】図５は、実施例での使用に適したカラー液晶表示装置及び面状光源装置から成る液晶表示装置組立体の概念図である。
【図６】図６は、実施例での使用に適した駆動回路の一部分の概念図である。
【図７】図７の（Ａ）は、実施例の面状光源装置における発光ダイオード等の配置、配列状態を模式的に示す図であり、図７の（Ｂ）は、実施例のカラー液晶表示装置及び面状光源装置から成る液晶表示装置組立体の模式的な一部断面図である。
【図８】図８は、カラー液晶表示装置の模式的な一部断面図である。
【図９】図９の（Ａ）及び（Ｂ）は、表示領域ユニット内・駆動信号最大値ｘU-maxに等しい値を有する駆動信号に相当する制御信号が画素に供給されたと想定したときの表示輝度・第２規定値ｙ2が面状光源ユニットによって得られるように、面状光源ユニットの光源輝度Ｙ2を、面状光源ユニット駆動回路の制御下、増減する状態を説明するための概念図である。
【図１０】図１０の（Ａ）は、副画素を駆動するために液晶表示装置駆動回路に入力される駆動信号の値を２．２乗した値（ｘ’≡ｘ2.2）とデューティ比（＝ｔON／ｔConst）との関係を模式的に示す図であり、図１０の（Ｂ）は、副画素の光透過率を制御するための制御信号の値Ｘと表示輝度ｙとの関係を模式的に示す図である。
【図１１】図１１の（Ａ）及び（Ｂ）は、面状光源装置の光源輝度と、画素の光透過率（開口率）と、表示領域における表示輝度との関係を説明するための概念図である。
【図１２】図１２の（Ａ）及び（Ｂ）は、それぞれ、特開２００５−２５８４０３に開示された４つの発光ダイオードの配置状態を示す図、及び、面状光源ユニットの外縁領域において部分的な発光色ムラ（発光色ズレ）が生じる状態を模式的に示す図である。
【図１３】図１３の（Ａ）及び（Ｂ）は、それぞれ、従来の面状光源装置における発光ダイオードの配置状態を示す図、及び、面状光源ユニットに相当する部分の外縁領域において部分的な発光色ムラ（発光色ズレ）が生じる状態を模式的に示す図である。
【図１４】図１４の（Ａ）及び（Ｂ）は、それぞれ、図１３に示したとは別の従来の面状光源装置における発光ダイオードの配置状態を示す図、及び、面状光源ユニットに相当する部分の外縁領域において部分的な発光色ムラ（発光色ズレ）が生じる状態を模式的に示す図である。
【符号の説明】
【００９２】
１０・・・カラー液晶表示装置、１１・・・表示領域、１２・・・表示領域ユニット、１３・・・液晶材料、２０・・・フロント・パネル、２１・・・第１の基板、２２・・・カラーフィルター、２３・・・オーバーコート層、２４・・・透明第１電極、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置、４１・・・隔壁、４２・・・面状光源ユニット、４３・・・発光素子ユニット、４４，４４Ｒ，４４Ｇ，４４Ｂ・・・発光ダイオード、４５，４５Ｒ，４５Ｇ，４５Ｂ・・・フォトダイオード（光センサー）、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・拡散板、６２・・・拡散シート、６３・・・プリズムシート、６４・・・偏光変換シート、６５・・・反射シート、７０・・・バックライト制御ユニット、７１・・・演算回路、７２・・・記憶装置（メモリ）、８０・・・面状光源ユニット駆動回路、８１・・・演算回路、８２・・・記憶装置（メモリ）、８３・・・ＬＥＤ駆動回路、８４・・・フォトダイオード制御回路、８５Ｒ，８５Ｇ，８５Ｂ・・・スイッチング素子、８６・・・発光ダイオード駆動電源、９０・・・液晶表示装置駆動回路、９１・・・タイミングコントローラ
【図１】
2008003220.tif 000006
【図２】
2008003220.tif 000007
【図３】
2008003220.tif 000008
【図４】
2008003220.tif 000009
【図５】
2008003220.tif 000010
【図６】
2008003220.tif 000011
【図７】
2008003220.tif 000012
【図８】
2008003220.tif 000013
【図９】
2008003220.tif 000014
【図１０】
2008003220.tif 000015
【図１１】
2008003220.tif 000016
【図１２】
2008003220.tif 000017
【図１３】
2008003220.tif 000018
【図１４】
2008003220.tif 000019